(57)【要約】【課題】ユーザの使い勝手を悪くすることなく、かつ複雑な制御を必要とすることなく、不要な電力の削減を、容易に実現することができる。【解決手段】ＣＰＵ６は、ユーザがタッチパネル式スライド型携帯電話をクローズ操作する際に、タッチパネル１をタッチした状態でクローズ操作した場合には、ディスプレイ２、タッチパネル１のＯＮ状態を継続することで、タッチパネル１でのタッチ操作を継続可能とする。一方、ＣＰＵ６は、ユーザがタッチパネル１をタッチせずにクローズ操作した場合には、ディスプレイ２、タッチパネル１をＯＦＦ状態とする。【選択図】図２
2012169109.tif 000002
【特許請求の範囲】
【請求項１】
形状を変更できる筐体と、
前記筐体の形状変化を検出する形状変化検出部と、
前記筐体の形状に係らず視認可能に表示する表示部と、
前記筐体の形状に係らず入力を検出する入力検出部と、
前記形状変化検出部によって前記筐体の形状変化が検出されたときの前記入力検出部の検出情報に基づいて、前記筐体の形状の変化後における、前記表示部、または前記入力検出部、あるいは双方の動作を制御する制御部と
を備える電子装置。
【請求項２】
前記制御部は、
前記形状変化検出部によって前記筐体の形状変化が検出されたときに、前記入力検出手段が入力を検出した場合、前記筐体の形状の変化後に、前記表示部、または前記入力検出部、あるいは双方を動作させ、
前記形状変化検出部によって前記筐体の形状変化が検出されたときに、前記入力検出部が入力を検出しない場合、前記筐体の形状の変化後に、前記表示部、または前記入力検出部、あるいは双方の動作を停止する
ことを特徴とする請求項１に記載の電子装置。
【請求項３】
前記制御部は、
前記入力検出部が所定の時間入力を検出しない場合、前記表示部、または前記検出部、あるいは双方の動作を停止する
ことを特徴とする請求項１または２に記載の電子装置。
【請求項４】
前記表示部は、バックライトを備え、
前記制御部は、さらに、前記バックライトの動作を制御することを特徴とする請求項１から３のいずれかに記載の電子装置。
【請求項５】
前記入力検出部は、前記表示部上に設けられた、接触検出型、または近接検出型のタッチパネルであることを特徴とする請求項１から４のいずれかに記載の電子装置。
【請求項６】
形状を変更できる筐体と、前記筐体の形状に係らず視認可能に表示する表示部と、前記筐体の形状に係らず入力を検出する入力検出部とを備える電子装置における動作制御方法であって、
前記筐体の形状変化を検出する形状変化検出ステップと、
前記形状変化検出ステップで前記筐体の形状変化が検出されたときの前記入力検出部への入力の有無を検出する入力有無検出ステップと、
前記入力有無検出ステップでの検出結果に基づいて、前記筐体の形状の変化後における、前記表示部、または前記入力検出部、あるいは双方の動作を制御する制御ステップと
を備えることを特徴とする動作制御方法。
【請求項７】
形状を変更できる筐体と、前記筐体の形状に係らず視認可能に表示する表示部と、前記筐体の形状に係らず入力を検出する入力検出部とを備える電子装置のコンピュータに、
前記筐体の形状変化を検出する形状変化検出機能、
前記形状変化検出機能で前記筐体の形状変化が検出されたときの前記入力検出部への入力の有無を検出する入力有無検出機能、
前記入力有無検出機能での検出結果に基づいて、前記筐体の形状の変化後における、前記表示部、または前記入力検出部、あるいは双方の動作を制御する制御機能
を実行させることを特徴とするプログラム。
【発明の詳細な説明】
【技術分野】
【０００１】
本発明は、電子装置、動作制御方法、及びプログラムに関する。
【背景技術】
【０００２】
近年、特許文献１、２に記載されているように、ディスプレイにタッチパネルを備えた携帯端末装置が広く普及しつつある。ユーザは、キー操作に加えて、あるいはキー操作に替えて、ディスプレイ上のタッチパネルをタッチすることで、数字や文字の入力や、動作を指示することになる。【０００３】
図７（ａ）、（ｂ）は、スライド型携帯電話の外観構成を示す斜視図である。図において、１はタッチパネル、２はディスプレイ、３はキー操作部である。図７（ａ）、（ｂ）では、タッチパネル１とディスプレイ２とは同じ位置関係にある。また、ディスプレイ２には、バックライト（図示略）が設けられている。ディスプレイ２は、図７（ａ）に示すように、矢印方向にスライド可能となっている。オープン操作を行い、ディスプレイ２を開いた状態にした場合には、キー操作部３による入力操作が有効となる。また、図７（ｂ）に示すように、クローズ操作を行い、ディスプレイ２でキー操作部３を覆った閉状態にした場合には、タッチパネル１によるタッチ操作が有効となる。【０００４】
ところで、このようなスライド型携帯電話を含む、タッチパネル１を備える携帯端末装置においては、ディスプレイ２への表示を行いつつ、タッチパネル１によるタッチ操作が行われることになるので、消費電力をいかに抑えるかが重要となる。【０００５】
図８は、スライド型携帯電話の動作を説明するためのフローチャートである。ユーザがスライド型携帯電話を使用開始し、オープン操作を行うと、開状態が検出され（ステップＳ１０）、ディスプレイ２（バックライト）とタッチパネル１とをＯＮ＋（ＯＮ継続）とする（ステップＳ１２）。この場合、ユーザは、キー操作部３により操作する。【０００６】
また、ユーザがクローズ操作を行うと、閉状態が検出される（ステップＳ１４）。このとき、予めユーザが設定したＴ１秒間、無操作であるか否かを判定し（ステップＳ１６）、閉状態で何らかの操作がある場合には、ディスプレイ２（バックライト）とタッチパネル１とがＯＮ＋（ＯＮ継続）であるので、ユーザは、タッチパネル１により操作する（ステップＳ１８）。そして、閉状態で、何ら操作のない状態が、予めユーザが設定したＴ１秒数経過した場合には、ディスプレイ２（バックライト）とタッチパネル１とをＯＦＦとする（ステップＳ２０）。
【先行技術文献】
【特許文献】
【０００７】
【特許文献１】特開２００９−１５７８０９号公報
【特許文献１】特開２０１１−０２３７９５号公報
【発明の概要】
【発明が解決しようとする課題】
【０００８】
しかしながら、上記特許文献１に記載の技術では、例えば、ユーザがクローズ操作を行った後、使用を終了し、ポケットまたは鞄等にしまった場合、予めユーザが設定したＴ１秒数後にディスプレイ２（バックライト）とタッチパネル１とがＯＦＦとなるので、その間は不要な電力が消費されるという問題があった。【０００９】
また、不要な電力の消費をなくすために、ユーザが予め設定する上記Ｔ１秒数を０秒に設定した場合には、クローズ操作後も引き続きタッチパネル１操作にて使用を継続したいときに、ディスプレイ２（バックライト）、及びタッチパネル１が即時にＯＦＦとなってしまうため、ユーザにとっての使い勝手が非常に悪くなってしまうという問題があった。【００１０】
更に、このような場合に、ユーザが継続して使用できるように、ディスプレイ２（バックライト）、タッチパネル１をＯＮにするためには、ユーザによる何らかの追加操作が必要となる。例えば、サイドキーを押す、タッチパネル１を再度タッチする、などが考えられるが、後者の場合、タッチパネル１の電源のみ即時にＯＦＦせず、ある程度の時間、ＯＮを継続しなければならない等、複雑な制御が必要となってしまうという問題があった。【００１１】
そこで本発明は、ユーザの使い勝手を悪くすることなく、かつ複雑な制御を必要とすることなく、不要な電力の削減を、容易に実現することができる電子装置、動作制御方法、及びプログラムを提供することを目的とする。
【課題を解決するための手段】
【００１２】
本発明の電子装置は、形状を変更できる筐体と、
前記筐体の形状変化を検出する形状変化検出部と、
前記筐体の形状に係らず視認可能に表示する表示部と、
前記筐体の形状に係らず入力を検出する入力検出部と、
前記形状変化検出部によって前記筐体の形状変化が検出されたときの前記入力検出部の検出情報に基づいて、前記筐体の形状の変化後における、前記表示部、または前記入力検出部、あるいは双方の動作を制御する制御部と
を備える電子装置である。【００１３】
本発明の動作制御方法は、形状を変更できる筐体と、前記筐体の形状に係らず視認可能に表示する表示部と、前記筐体の形状に係らず入力を検出する入力検出部とを備える電子装置における動作制御方法であって、
前記筐体の形状変化を検出する形状変化検出ステップと、
前記形状変化検出ステップで前記筐体の形状変化が検出されたときの前記入力検出部への入力の有無を検出する入力有無検出ステップと、
前記入力有無検出ステップでの検出結果に基づいて、前記筐体の形状の変化後における、前記表示部、または前記入力検出部、あるいは双方の動作を制御する制御ステップと
を備えることを特徴とする動作制御方法である。【００１４】
本発明のプログラムは、形状を変更できる筐体と、前記筐体の形状に係らず視認可能に表示する表示部と、前記筐体の形状に係らず入力を検出する入力検出部とを備える電子装置のコンピュータに、
前記筐体の形状変化を検出する形状変化検出機能、
前記形状変化検出機能で前記筐体の形状変化が検出されたときの前記入力検出部への入力の有無を検出する入力有無検出機能、
前記入力有無検出機能での検出結果に基づいて、前記筐体の形状の変化後における、前記表示部、または前記入力検出部、あるいは双方の動作を制御する制御機能
を実行させることを特徴とするプログラムである。
【発明の効果】
【００１５】
この発明によれば、ユーザの使い勝手を悪くすることなく、かつ複雑な制御を必要とすることなく、不要な電力の削減を、容易に実現することができる。
【図面の簡単な説明】
【００１６】
【図１】本発明の実施形態によるスライド型携帯電話の外観構成を示す斜視図である。
【図２】本実施形態によるスライド型携帯電話の構成を示すブロック図である。
【図３】本実施形態によるスライド型携帯電話のオープン状態での使用中の斜視図である。
【図４】本実施形態によるスライド型携帯電話のクローズ状態での使用中の斜視図である。
【図５】ユーザがタッチパネル１に触れずに、スライド型携帯電話をクローズ状態にした場合の斜視図である。
【図６】本実施形態によるスライド型携帯電話の動作を説明するためのフローチャートである。
【図７】スライド型携帯電話の外観構成を示す斜視図である。
【図８】スライド型携帯電話の動作を説明するためのフローチャートである。
【図９】付記１の構成図である。
【発明を実施するための形態】
【００１７】
以下、本発明の実施の形態を、図面を参照して説明する。
【００１８】
図１は、本発明の実施形態によるスライド型携帯電話の外観構成を示す斜視図である。本実施形態によるスライド型携帯電話の外観構成は、図７に示すスライド型携帯電話と同じであるので、同一の符号を付けて説明を省略する。なお、タッチパネル１は、直接の接触を検出する接触検出型でも、指などが近づいたことを検出する近接検出型でもよい。また、タッチパネル１、ディスプレイ２、バックライト４は、それぞれ別々にＯＮ／ＯＦＦ制御できるようになっている。
【００１９】
図２は、本実施形態によるスライド型携帯電話の構成を示すブロック図である。なお、図１に対応する部分には同一の符号を付けて説明を省略する。４は、ディスプレイ２を照射するバックライトである。５は、ディスプレイ２のオープン／クローズを検出する開閉検出部である。６は、それらを制御するＣＰＵである。
【００２０】
図３は、本実施形態によるスライド型携帯電話のオープン状態での使用中の斜視図である。ユーザは、スライド型携帯電話をオープン状態で操作する場合、キー操作部３による操作を行うので、不要な電力を削減するため、タッチパネル１をＯＦＦ状態とする。また、ユーザがディスプレイ２を見ながら操作するので、ディスプレイ２とバックライト４とは、予めユーザが設定した秒数、無操作が続くまで、ＯＮ状態継続（以下、ＯＮ＋と記す）とする。
【００２１】
図４は、本実施形態によるスライド型携帯電話のクローズ状態での使用中の斜視図である。ユーザがタッチパネル１に触れながら、スライド型携帯電話をクローズ状態にした場合、タッチパネル１とディスプレイ２とバックライト４をＯＮ＋とする。これにより、ユーザは、クローズ後も引き続きタッチパネル１を操作することができる。
【００２２】
図５（ａ）、（ｂ）は、ユーザがタッチパネル１に触れずに、スライド型携帯電話をクローズ状態にした場合の斜視図である。図５（ａ）には、ディスプレイ２周辺の筐体部分に左手の親指を当てて、矢印方向にスライドさせてクローズ状態にする様子を示している。また、図５（ｂ）には、左手でスライド型携帯電話を支え、右手でディスプレイ２側の筐体をタッチパネル１（ディスプレイ２）に触れることなく、矢印方向にスライドさせてクローズ状態にする様子を示している。
【００２３】
本実施形態では、図５（ａ）、（ｂ）に示すように、ユーザがタッチパネル１に触れずに、スライド型携帯電話をクローズ状態にした、いずれの場合も、タッチパネル１とディスプレイ２とバックライト４とをＯＦＦとする。これにより、ユーザは、クローズ後に不要な電力を消費することなく、使用終了し、ポケットや、鞄等にしまうことができる。なお、ここでは、タッチパネル１とディスプレイ２とバックライト４とをＯＦＦとしたが、全てをＯＦＦとすることに限らず、いずれか１つでも、いずれか２つを組み合わせてＯＦＦとしてもよい。
【００２４】
次に、上述した実施形態の動作について説明する。
図６は、本実施形態によるスライド型携帯電話の動作を説明するためのフローチャートである。ユーザがスライド型携帯電話を使用開始し、オープン操作を行ったとき、開閉検出部５は、開状態を検出する（ステップＳ３０）。ＣＰＵ６は、クローズ時省電モード設定がＯＮであるか否かを判定する（ステップＳ３２）。そして、クローズ時省電モード設定がＯＮでない場合には、前述した従来技術と同様に、図８に示すステップＳ１２以降の動作を実行する（ステップＳ３４）。
【００２５】
一方、クローズ時省電モード設定がＯＮである場合には、ディスプレイ２とバックライト４とをＯＮ＋とする（ステップＳ３６）。このとき、ユーザは、タッチパネル１を使用することなく、キー操作部３により操作する（図３を参照）。つまり、タッチパネル１をＯＦＦとしているので、不要な電力を削減することができる。
【００２６】
ここで、ユーザがクローズ操作したとき、すなわち、ディスプレイ２をスライド開始させた時点で、開閉検出部５は、閉状態を検出し（ステップＳ３８）、タッチパネル１をＯＮ＋とする（ステップＳ４０）。ＣＰＵ６は、このとき、タッチパネル１にユーザの指が接触しているか否かを判定する（ステップＳ４２）。
【００２７】
そして、タッチパネル１にユーザの指が接触していない場合には（ステップＳ４２のＮＯ）、即時、ディスプレイ２とバックライト４をＯＦＦとし、タッチパネル１もここでＯＦＦとする（ステップＳ４４：図５（ａ）、（ｂ）を参照）。ユーザは、使用終了し、ポケットや、鞄等にしまう。これにより、ユーザがスライド型携帯電話を使用終了後、不要な電力を消費することがない。なお、ここでは、タッチパネル１とディスプレイ２とバックライト４とをＯＦＦとしたが、全てをＯＦＦとすることに限らず、いずれか１つでも、いずれか２つを組み合わせてＯＦＦとしてもよい。
【００２８】
一方、タッチパネル１にユーザの指が接触していた場合には（ステップＳ４２のＹＥＳ）、ユーザは、継続してタッチパネル１により操作する（図４を参照）。このとき、ディスプレイ２、バックライト４、及びタッチパネル１は、ＯＮ＋（継続）である。
【００２９】
このとき、予めユーザが設定したＴ１秒間、無操作であるか否かを判定し（ステップＳ４８）、閉状態で、タッチパネル１に対して何らかの操作がある場合には（ステップＳ４８のＮＯ）、ディスプレイ２、バックライト４、タッチパネル１がＯＮ＋（ＯＮ継続）であるので、ユーザは、継続してタッチパネル１により操作する（ステップＳ５０）。
【００３０】
一方、閉状態で、タッチパネル１に対して何ら操作のない状態が、予めユーザが設定したＴ１秒数経過した場合には（ステップＳ４８のＹＥＳ）、ディスプレイ２とバックライト４とタッチパネル１とをＯＦＦとする（ステップＳ５２）。なお、ここでは、タッチパネル１とディスプレイ２とバックライト４とをＯＦＦとしたが、全てをＯＦＦとすることに限らず、いずれか１つでも、いずれか２つを組み合わせてＯＦＦとしてもよい。
【００３１】
上述した実施形態によれば、ユーザがタッチパネル式スライド型携帯電話をクローズ操作する際に、タッチパネル１をタッチした状態でクローズ操作した場合には、ディスプレイ２、バックライト４、タッチパネル１のＯＮ状態を継続することで、タッチパネル１でのタッチ操作を継続可能とし、一方、タッチパネル１をタッチせずにクローズ操作した場合には、ディスプレイ２、バックライト４、タッチパネル１をＯＦＦ状態とする。
【００３２】
これより、ユーザの使い勝手を悪くすることなく、かつ複雑な制御を必要とすることなく、継続してタッチパネル１を使用する場合と、そのままポケットまたは鞄等にしまう場合とを使い分けることができるとともに、タッチパネル式スライド型携帯電話の不要な電力の削減を、容易に実現することができる。
【００３３】
なお、上述した実施形態では、携帯電話について説明したが、本発明は、携帯電話、スマートフォンに限らず、他の装置（例えば、ゲーム機、タブレットＰＣ、ノートＰＣ）にも適用可能である。
【００３４】
また、上述した実施形態では、タッチパネル１、ディスプレイ２、バックライト４のＯＮ／ＯＦＦ制御について説明したが、暗闇でもキー操作できるように、キー操作部３の裏面からキートップを点灯する携帯電話が知られているが、この場合、ユーザがタッチパネル式スライド型携帯電話をオープン操作、クローズ操作する際に、キー操作部３のバックライトをＯＮ／ＯＦＦ制御するようにしてもよい。
【００３５】
また、上述した実施形態では、スライド型携帯電話について説明したが、本発明は、スライド型携帯電話に限定されない。折り畳み型、つまり、キーのような操作部を備えた第１の筐体と液晶などの表示部を備えた第２の筐体とからなる折り畳み型でも、また、表示部にタッチパネルを備え、さらに、該表示部が回転して表示部を出した状態で折りたためる形状（回転２軸ヒンジ型などと言われることもある。折り畳みのための回転軸と、表示部を回転する回転軸の２軸を備えている）、また、タッチパネルを備えた回転型にも適用可能である。
【００３６】
以下、本発明の特徴を付記する。
上記の実施形態の一部又は全部は、以下の付記のようにも記載されうるが、以下には限られない。
（付記１）
図９は、付記１の構成図である。この図に示すように、付記１記載の発明は、
形状を変更できる筐体１０と、
前記筐体１０の形状変化を検出する形状変化検出部１１と、
前記筐体１０の形状に係らず視認可能に表示する表示部と１２、
前記筐体１０の形状に係らず入力を検出する入力検出部１３と、
前記形状変化検出部１１によって前記筐体１０の形状変化が検出されたときの前記入力検出手部１３の検出情報に基づいて、前記筐体１０の形状の変化後における、前記表示部１２、または前記入力検出部１３、あるいは双方の動作を制御する制御部１４と
を備える電子装置である。
【００３７】
（付記２）
前記制御部は、
前記形状変化検出部によって前記筐体の形状変化が検出されたときに、前記入力検出手段が入力を検出した場合、前記筐体の形状の変化後に、前記表示部、または前記入力検出部、あるいは双方を動作させ、
前記形状変化検出部によって前記筐体の形状変化が検出されたときに、前記入力検出部が入力を検出しない場合、前記筐体の形状の変化後に、前記表示部、または前記入力検出部、あるいは双方の動作を停止する
ことを特徴とする付記１に記載の電子装置である。
【００３８】
（付記３）
前記制御部は、
前記入力検出部が所定の時間入力を検出しない場合、前記表示部、または前記検出部、あるいは双方の動作を停止する
ことを特徴とする付記１または２に記載の電子装置である。
【００３９】
（付記４）
前記表示部は、バックライトを備え、
前記制御部は、さらに、前記バックライトの動作を制御することを特徴とする付記１から３のいずれかに記載の電子装置である。
【００４０】
（付記５）
前記入力検出部は、前記表示部上に設けられた、接触検出型、または近接検出型のタッチパネルであることを特徴とする付記１から４のいずれかに記載の電子装置である。
【００４１】
（付記６）
形状を変更できる筐体と、前記筐体の形状に係らず視認可能に表示する表示部と、前記筐体の形状に係らず入力を検出する入力検出部とを備える電子装置における動作制御方法であって、
前記筐体の形状変化を検出する形状変化検出ステップと、
前記形状変化検出ステップで前記筐体の形状変化が検出されたときの前記入力検出部への入力の有無を検出する入力有無検出ステップと、
前記入力有無検出ステップでの検出結果に基づいて、前記筐体の形状の変化後における、前記表示部、または前記入力検出部、あるいは双方の動作を制御する制御ステップと
を備えることを特徴とする動作制御方法である。
【００４２】
（付記７）
形状を変更できる筐体と、前記筐体の形状に係らず視認可能に表示する表示部と、前記筐体の形状に係らず入力を検出する入力検出部とを備える電子装置のコンピュータに、
前記筐体の形状変化を検出する形状変化検出機能、
前記形状変化検出機能で前記筐体の形状変化が検出されたときの前記入力検出部への入力の有無を検出する入力有無検出機能、
前記入力有無検出機能での検出結果に基づいて、前記筐体の形状の変化後における、前記表示部、または前記入力検出部、あるいは双方の動作を制御する制御機能
を実行させることを特徴とするプログラムである。
【符号の説明】
【００４３】
１  タッチパネル
２  ディスプレイ
３  キー操作部
４  バックライト
５  開閉検出部
６  ＣＰＵ
【図１】
2012169109.tif 000003
【図２】
2012169109.tif 000004
【図３】
2012169109.tif 000005
【図４】
2012169109.tif 000006
【図５】
2012169109.tif 000007
【図６】
2012169109.tif 000008
【図７】
2012169109.tif 000009
【図８】
2012169109.tif 000010
【図９】
2012169109.tif 000011
【国際調査報告】
2012169109.tif 000012
2012169109.tif 000013
2012169109.tif 000014